(57)【特許請求の範囲】
【請求項１】
複数の走査線と複数のデータ線との交差に対応して設けられた複数の画素を駆動する表示装置の駆動回路であって、
１垂直走査期間を選択期間と補正期間との組に分割し、前記選択期間において複数本の走査線を１本ずつ選択して選択電圧を印加する一方、
前記選択期間のうち選択されない期間及び前記補正期間では、前記選択電圧に対応する非選択電圧を走査線に印加する走査線駆動回路と、
前記選択期間においては、走査線が選択されて選択電圧が印加されたときに、当該走査線と当該データ線との交差に対応する画素の表示内容に応じてオン電圧またはオフ電圧を前記データ線に印加する一方、
前記補正期間においては、前記選択期間に印加したパルス幅の総期間に等しい期間連続させた幅のパルス信号を、前記オン電圧および前記オフ電圧の中心電圧を基準として反転させて前記補正信号として印加するデータ線駆動回路と、
を具備することを特徴とする表示装置の駆動回路。
【請求項２】
前記データ線駆動回路は、
前記選択期間において、前記パルス信号の一方の電圧が印加される期間を計数する計数回路と、
前記計数回路による計数結果にしたがって前記補正信号を生成する生成回路と、
を含むことを特徴とする請求項１に記載の表示装置の駆動回路。
【請求項３】
前記選択期間と前記補正期間との組が１垂直走査期間について複数設けられ、
前記走査線駆動回路は、各組の選択期間において、複数本の走査線を順番に連続して選択することを特徴とする請求項１に記載の表示装置の駆動回路。
【請求項４】
前記データ線駆動回路は、
画素の階調を指示する階調データを、少なくとも連続して選択する走査線分、保持するメモリを有することを特徴とする請求項３に記載の表示装置の駆動回路。
【請求項５】
複数の走査線と複数のデータ線との交差に対応して設けられた複数の画素を駆動する表示装置の駆動方法であって、
１垂直走査期間を選択期間と補正期間との組に分割し、前記選択期間において複数本の走査線を１本ずつ選択して選択電圧を印加する一方、
前記選択期間のうち選択されない期間及び前記補正期間では、前記選択電圧に対応する非選択電圧を走査線に印加し、
前記選択期間においては、走査線が選択されて選択電圧が印加されたときに、当該走査線と当該データ線との交差に対応する画素の表示内容に応じてオン電圧またはオフ電圧を印加する一方、
前記補正期間においては、前記選択期間に印加したパルス幅の総期間に等しい期間連続させた幅のパルス信号を、前記オン電圧および前記オフ電圧の中心電圧を基準として反転させて前記補正信号として印加する
ことを特徴とする表示装置の駆動方法。
【請求項６】
複数の走査線と複数のデータ線との交差に対応して設けられた複数の画素を駆動する表示装置であって、
１垂直走査期間を選択期間と補正期間との組に分割し、前記選択期間において複数本の走査線を１本ずつ選択して、選択電圧を印加する一方、
前記選択期間のうち選択されない期間及び前記補正期間では、前記選択電圧に対応する非選択電圧を走査線に印加する走査線駆動回路と、
前記選択期間においては、走査線が選択されて選択電圧が印加されたときに、当該走査線と当該データ線との交差に対応する画素の表示内容に応じてオン電圧またはオフ電圧を印加する一方、
前記補正期間においては、前記選択期間に印加したパルス幅の総期間に等しい期間連続させた幅のパルス信号を、前記オン電圧および前記オフ電圧の中心電圧を基準として反転させて前記補正信号として印加するデータ線駆動回路と、
を具備することを特徴とする表示装置。
【請求項７】
前記画素は、
前記走査線または前記データ線のいずれか一方に一端が接続された二端子型スイッチング素子と、
前記走査線または前記データ線のいずれか他方と、前記二端子型スイッチング素子の他端に接続された画素電極との間に電気光学物質が挟持された電気光学容量と、
を含むことを特徴とする請求項６に記載の表示装置。
【請求項８】
前記二端子型スイッチング素子は、導電体／絶縁体／導電体の構造を有することを特徴とする請求項７に記載の表示装置。
【請求項９】
請求項６乃至８のいずれか１項に記載の表示装置を備えることを特徴とする電子機器。
【発明の詳細な説明】
【０００１】
【発明の属する技術分野】
本発明は、例えば、薄膜ダイオードによって画素をスイッチングする構成において、表示品位の低下を抑えつつ低消費電力化を図った表示装置、その駆動回路、その駆動方法、および、電子機器に関する。
【０００２】
【従来の技術】
近年、液晶や有機ＥＬ（エレクトロ・ルミネッセンス）などの電気光学物質の電気光学的な変化により表示を行う表示装置が、陰極線管（ＣＲＴ）に代わるディスプレイ・デバイスとして、各種電子機器やテレビジョンなどに広く用いられつつある。
【０００３】
この表示装置は、駆動方式等によって分類すると、スイッチングにより画素を駆動するアクティブ・マトリクス型と、スイッチング素子を用いないで画素を駆動するパッシブ・マトリクス型とに大別することができる。このうち、前者に係るアクティブ・マトリクス型では、スイッチング素子の種類によって、さらに、薄膜トランジスタ（ＴＦＴ：Thin Film Transistor）などの三端子型スイッチング素子を用いる型と、薄膜ダイオード（ＴＦＤ：Thin Film Diode）などの二端子型スイッチング素子を用いる型とに大別することができるが、後者の二端子型スイッチング素子を用いる型の方が、配線の交差部分がないために、配線間の短絡不良が原理的に発生しない点、成膜工程およびフォトリソグラフィ工程を短縮できる点、さらに低消費電力に向いている点において有利とされている。
【０００４】
一方、二端子型スイッチング素子によって画素をスイッチングする表示装置においては、表示品位を低下させる様々なモードが存在する。ただし、最終的には、データ線（セグメント電極）がとり得る２つの電圧が印加される期間の割合が、いかなるパターンを表示させたとしても半分ずつとなる、という４値駆動法（１／２Ｈセレクト、１Ｈ反転）を採用すると、このような表示品位の低下を解消することが知られている。
【０００５】
ところで、特にＰＤＡ（Personal Digital Assistant）や携帯電話などのような携帯型電子機器にあっては、電池駆動が原則であるため、低消費電力であることの要求が強い。このため、携帯型電子機器に適用される表示装置にも、低消費電力であることが強く求められている。
さらに、この種の携帯型電子機器には、近年、音楽再生のような様々な機能が追加されつつあり、こうした新機能に割り当てられる電力を捻出するためにも、表示装置の消費電力についてはたとえ１ｍＷでも削減したい、という要求すら存在している状況にある。
一方、近年では、表示装置には、単純な黒白表示のみならず、豊かな中間階調で表示を行う高階調表示化も要求されている。
【０００６】
【発明が解決しようとする課題】
しかしながら、上記４値駆動法（１／２Ｈセレクト、１Ｈ反転）において、中間階調表示を行うと、データ線の電圧切替頻度が高くなるので、データ線に付随する容量によって無駄に電力が消費される、という欠点があった。一方、上記４値駆動法を採用しないと、今度は、モードによっては、表示品位が低下する、という問題が発生することになる。
【０００７】
本発明は、上述した事情に鑑みてなされたものであり、その目的とするところは、表示示品位の低下を抑えつつ、低消費電力化を図ることが可能な表示装置、その駆動回路、その駆動方法および電子機器を提供することにある。
【０００８】
【課題を解決するための手段】
上記目的を達成するために、複数の走査線と複数のデータ線との交差に対応して設けられた複数の画素を駆動する表示装置の駆動回路であって、１垂直走査期間を選択期間と補正期間との組に分割し、前記選択期間において複数本の走査線を１本ずつ選択して選択電圧を印加する一方、前記選択期間のうち選択されない期間及び前記補正期間では、前記選択電圧に対応する非選択電圧を走査線に印加する走査線駆動回路と、前記選択期間においては、走査線が選択されて選択電圧が印加されたときに、当該走査線と当該データ線との交差に対応する画素の表示内容に応じてオン電圧またはオフ電圧を前記データ線に印加する一方、前記補正期間においては、前記選択期間に印加したパルス幅の総期間に等しい期間連続させた幅のパルス信号を、前記オン電圧および前記オフ電圧の中心電圧を基準として反転させて前記補正信号として印加するデータ線駆動回路と、を具備する構成を特徴としている。
この構成によれば、選択期間において、データ線に印加された（または、印加する）電圧の実効成分は、補正期間に印加される補正信号によってキャンセルされるので、表示品位の低下が防止される。さらに、補正期間において、走査線に印加される電圧には、切り替わりが発生しないので、データ線に印加する電圧については、走査線の印加電圧を考慮しないで済む。このため、補正期間において、データ線に印加される補正信号については、切替頻度を容易に抑えることができるので、データ線やその駆動回路に付随する容量の充放電によって無駄に消費される電力を抑えて、その分、低消費電力化を図ることが可能となる。また、この構成によれば、選択期間においてデータ線に印加された電圧の実効成分は、パルス幅が連続する補正信号によって補正期間においてキャンセルされることになるので、電圧の切替頻度は激減する。
また、本件におけるオン電圧とは、ある１本の走査線が選択された期間に着目した場合に、その期間において印加される選択電圧とは逆極性にあるデータ信号電圧をいい、またオフ電圧とは、同じくある１本の走査線が選択された期間において印加される選択電圧とは同一極性にあるデータ信号電圧をいう。
【０００９】
この構成において、前記データ線駆動回路は、前記選択期間に印加した（または、印加する）電圧波形を、前記点灯電圧および前記非点灯電圧の中心電圧を基準として反転して、前記補正信号とする構成が好ましい。この構成によれば、選択期間においてデータ線に印加された電圧の実効成分は、それとは全く逆に反転された補正信号によって補正期間においてキャンセルされることになり、また、データ線に印加する電圧の切替頻度も低減される。
【００１１】
さらに、前記データ線駆動回路は、前記選択期間において、前記パルス信号の一方の電圧が印加される期間を計数する計数回路と、前記計数回路による計数結果にしたがって前記補正信号を生成する生成回路とを含む構成としても良い。この構成によれば、選択期間においてデータ線に印加されるパルス信号の一方の電圧が印加される期間が計数される。このため、選択期間に印加した（または、印加する）パルス幅の総期間に略等しい期間連続させた幅のパルス信号を反転させて、補正信号とすることが容易となる。
【００１２】
ここで、前記選択期間と前記補正期間との組が１垂直走査期間について複数設けられ、前記走査線駆動回路は、各組の選択期間において、複数本の走査線を順番に連続して選択する構成が好ましい。本発明では、奇数行・偶数行や、選択期間における選択の先・後によって、選択期間においてデータ線に印加される信号による影響と、補正期間においてデータ線に印加される信号による影響とに差が発生する場合があるが、このような構成のように、選択期間と補正期間との組を複数に分けると、その差が低減される。
【００１３】
このような構成において、前記データ線駆動回路は、画素の階調を指示する階調データを、少なくとも連続して選択する走査線分、保持するメモリを有する構成が好ましい。このような構成によれば、選択期間と補正期間との双方において、画素の表示内容を規定するデータを供給する手間が省かれるので、データ転送時において消費される電力等を削減することができる。
【００１４】
ここで、本発明は、表示装置の駆動方法としても実現できる。すなわち、複数の走査線と複数のデータ線との交差に対応して設けられた複数の画素を駆動する表示装置の駆動方法であって、１垂直走査期間を選択期間と補正期間との組に分割し、前記選択期間において複数本の走査線を１本ずつ選択して選択電圧を印加する一方、前記選択期間のうち選択されない期間及び前記補正期間では、前記選択電圧に対応する非選択電圧を走査線に印加し、前記選択期間においては、走査線が選択されて選択電圧が印加されたときに、当該走査線と当該データ線との交差に対応する画素の表示内容に応じてオン電圧またはオフ電圧を印加する一方、前記補正期間においては、前記選択期間に印加したパルス幅の総期間に等しい期間連続させた幅のパルス信号を、前記オン電圧および前記オフ電圧の中心電圧を基準として反転させて前記補正信号として印加する方法を特徴としている。
この方法によれば、選択期間において、データ線に印加された電圧の実効成分は、補正期間に印加される補正信号によってキャンセルされるので、表示品位の低下が防止される一方、補正期間においてデータ線に印加される補正信号の切替頻度を容易に抑えることができるので、データ線やその駆動回路に付随する容量の充放電によって無駄に消費される電力を抑えて、その分、低消費電力化を図ることが可能となる。また、この構成によれば、選択期間においてデータ線に印加された電圧の実効成分は、パルス幅が連続する補正信号によって補正期間においてキャンセルされることになるので、電圧の切替頻度は激減する。
【００１５】
また、上記目的を達成するため、本発明に係る表示装置は、複数の走査線と複数のデータ線との交差に対応して設けられた複数の画素を駆動する表示装置であって、１垂直走査期間を選択期間と補正期間との組に分割し、前記選択期間において複数本の走査線を１本ずつ選択して、選択電圧を印加する一方、前記選択期間のうち選択されない期間及び前記補正期間では、前記選択電圧に対応する非選択電圧を走査線に印加する走査線駆動回路と、前記選択期間においては、走査線が選択されて選択電圧が印加されたときに、当該走査線と当該データ線との交差に対応する画素の表示内容に応じてオン電圧またはオフ電圧を印加する一方、前記補正期間においては、前記選択期間に印加したパルス幅の総期間に等しい期間連続させた幅のパルス信号を、前記オン電圧および前記オフ電圧の中心電圧を基準として反転させて前記補正信号として印加するデータ線駆動回路と、を具備する構成を特徴としている。
この方法によれば、上記駆動回路と同様に、選択期間において、データ線に印加された電圧の実効成分は、補正期間に印加される補正信号によってキャンセルされるので、表示品位の低下が防止される一方、補正期間においてデータ線に印加される補正信号の切替頻度を容易に抑えることができるので、データ線やその駆動回路に付随する容量の充放電によって無駄に消費される電力を抑えて、その分、低消費電力化を図ることが可能となる。また、この構成によれば、選択期間においてデータ線に印加された電圧の実効成分は、パルス幅が連続する補正信号によって補正期間においてキャンセルされることになるので、電圧の切替頻度は激減する。
【００１６】
ここで、本発明に係る表示装置において、前記画素は、前記走査線または前記データ線のいずれか一方に一端が接続された二端子型スイッチング素子と、前記走査線または前記データ線のいずれか他方と、前記二端子型スイッチング素子の他端に接続された画素電極との間に電気光学物質が挟持された電気光学容量とを含む構成が好ましい。このように二端子型スイッチング素子を用いると、三端子型スイッチング素子を用いた構成と比較して、配線間の短絡不良が原理的に発生しない点や、製造プロセスが簡略化される点などにおいて有利である。
【００１７】
さらに、このような二端子型スイッチング素子は、導電体／絶縁体／導電体の構造を有する構成が望ましい。この構成では、いずれかの導電体が、そのまま走査線またはデータ線として用いることが可能であり、また、絶縁体は、該導電体自体を酸化することで形成可能である。
【００１８】
また、本発明における電子機器は、上記表示装置を備えるので、表示品位の低下を抑えた上で、低消費電力化等が可能になる。なお、このような電子機器としては、パーソナルコンピュータや、携帯電話、ディジタルスチルカメラなどなどが挙げられる。
【００１９】
【発明の実施の形態】
以下、本発明の実施の形態について図面を参照して説明する。
【００２０】
＜構成＞
はじめに、本発明の第１実施形態に係る表示装置の電気的構成について説明する。図１は、この表示装置の電気的な構成を示すブロック図である。
この図に示されるように、表示装置１００には、複数のデータ線（セグメント電極）２１２が列（Ｙ）方向に延在して形成される一方、複数の走査線（コモン電極）３１２が行（Ｘ）方向に延在して形成されるとともに、データ線２１２と走査線３１２との各交差に対応して画素１１６が形成されている。さらに、各画素１１６は、液晶容量１１８と、二端子型スイッチング素子の一例であるＴＦＤ（Thin Film Diode：薄膜ダイオード）２２０との直列接続からなる。このうち、液晶容量１１８は、後述するように、対向電極として機能する走査線３１２と画素電極との間に、電気光学物質の一例たる液晶を挟持した構成となっている。
なお、この第１実施形態にあっては、説明の便宜上、走査線３１２の総数を１６０本とし、データ線２１２の総数を１２０本として、１６０行×１２０列のマトリクス型表示装置として説明するが、本発明をこれに限定する趣旨ではない。
【００２１】
次に、Ｙドライバ３５０は、一般には走査線駆動回路と呼ばれるものであり、走査信号Ｙ１、Ｙ２、Ｙ３、…、Ｙ１６０を、それぞれ１行目、２行目、３行目、…、１６０行目の走査線３１２に供給するものである。詳細には、Ｙドライバ３５０は、１６０本の走査線３１２を後述するような順番で１本ずつ選択して、選択した走査線３１２には選択電圧を、他の走査線３１２には非選択電圧を、それぞれ供給するものである。
【００２２】
また、Ｘドライバ２５０は、一般にはデータ線駆動回路と呼ばれるものであり、Ｙドライバ３５０により選択された走査線３１２に位置する画素１１６に対し、データ信号Ｘ１、Ｘ２、Ｘ３、…、Ｘ１２０を、表示内容に応じてそれぞれ対応するデータ線２１２を介して供給するものである。なお、Ｘドライバ２５０およびＹドライバ３５０の詳細構成については後述することとする。
【００２３】
一方、制御回路４００は、Ｘドライバ２５０およびＹドライバ３５０に対して、後述する階調データや、各種制御信号、クロック信号などを供給して、両者を制御するものである。また、駆動電圧形成回路５００は、電圧±ＶSと電圧±ＶD／２とをそれぞれ生成するものである。
本実施形態において、電圧±ＶSは、走査信号における選択として用いられ、また、電圧±ＶD／２は、走査信号における非選択電圧と、データ信号におけるデータ電圧とで兼用される構成となっているが、これらの電圧を異ならせても良い。
なお、本実施形態において、走査線３１２やデータ線２１２に印加される電圧の極性は、データ線２１２に印加されるデータ電圧±ＶD／２の中間電圧を基準として高電位側を正極とし、低電位側を負極としている。
【００２４】
＜機械的構成＞
次に、本実施形態に係る表示装置の機械的な構成について説明する。図２は、表示装置１００の全体構成を示す斜視図であり、図３は、この表示装置１００をＸ方向に沿って破断した場合の構成を示す部分断面図である。
これらの図に示されるように、表示装置１００は、観察者側に位置する対向基板３００と、その背面側に位置する素子基板２００とが、スペーサを兼ねる導電性粒子（導通材）１１４の混入されたシール材１１０によって一定の間隙を保って貼り合わせられるとともに、この間隙に例えばＴＮ（Twisted Nematic）型の液晶１６０が封入された構成となっている。なお、シール材１１０は、図２に示されるように、対向基板３００の内周縁に沿って枠状に形成されるが、液晶１６０を封入するために、その一部が開口している。このため、液晶の封入後に、その開口部分が封止材１１２によって封止された構成となっている。
【００２５】
さて、対向基板３００の対向面には、行（Ｘ）方向に延在して形成される走査線３１２のほか、配向膜３０８が形成されて、所定の方向にラビング処理が施されている。ここで、対向基板３００に形成された走査線３１２は、図３に示されるように、シール材１１０に分散された導電性粒子１１４を介し、各走査線３１２と１対１に対応する配線３４２であって、素子基板２００に形成された配線３４２の一端に接続されている。すなわち、対向基板３００に形成された走査線３１２は、導電性粒子１１４および配線３４２を介して、素子基板２００側に引き出された構成となっている。
一方、対向基板３００の外側（観察側）には偏光子１３１が貼り付けられて（図２では省略）、その吸収軸が、配向膜３０８へのラビング処理の方向に対応して設定されている。
【００２６】
また、素子基板３００の対向面には、Ｙ（列）方向に延在して形成されるデータ線２１２に隣接して矩形状の画素電極２３４が形成されるほか、配向膜２０８が形成されて、所定の方向にラビング処理が施されている。一方、素子基板２００の外側（観察側の反対側）には偏光子１２１が貼り付けられて（図２では省略）、その吸収軸が、配向膜２０８へのラビング処理の方向に対応して設定されている。このほかに、素子基板２００の外側には、均一に光を照射するバックライトユニットが設けられるが、本件とは直接に関係しないので、図示を省略している。
【００２７】
続いて表示領域外について説明すると、図２に示されるように、素子基板２００にあって対向基板３００から張り出した２辺には、データ線２１２を駆動するためのＸドライバ２５０、および、走査線３１２を駆動するためのＹドライバ３５０が、それぞれＣＯＧ（Chip On Glass）技術により実装されている。これにより、Ｘドライバ２５０は、データ線２１２にデータ信号を直接的に供給する一方、Ｙドライバ３５０は、配線３４２および導電性粒子１１４を介し、走査線３１２に走査信号を間接的に供給する構成となっている。
【００２８】
また、Ｘドライバ２５０が実装される領域の外側近傍には、ＦＰＣ（Flexible Printed Circuit）基板１５０が接合されて、制御回路４００など（図１参照）による各種信号や電圧信号などが、Ｙドライバ３５０およびＸドライバ２５０にそれぞれ供給される構成となっている。
なお、図１におけるＸドライバ２５０およびＹドライバ３５０は、図２とは異なり、それぞれ表示装置１００の左側および上側にそれぞれ位置しているが、これは、電気的な構成を説明するための便宜上の措置に過ぎない。また、Ｘドライバ２５０およびＹドライバ３５０を、それぞれ素子基板２００にＣＯＧ実装する替わりに、例えば、ＴＡＢ（Tape Automated Bonding）技術を用いて、各ドライバが実装されたＴＣＰ（Tape Carrier Package）を、異方性導電膜により電気的および機械的に接続する構成としても良い。
【００２９】
＜画素の構成＞
次に表示装置における画素１１６の詳細構成について説明する。図４は、その構造を示す部分破断斜視図である。なお、この図では、説明理解のために、図３における配向膜２０８、３０８および偏光子１２１、１３１が省略されている。
さて、図４に示されるように、素子基板２００の対向面には、ＩＴＯ（Indium Tin Oxide）などの透明導電体からなる矩形状の画素電極２３４がマトリクス状に配列しており、このうち、同一列にて配列された画素電極２３４が、１本のデータ線２１２に、それぞれＴＦＤ２２０を介して共通接続されている。ここで、ＴＦＤ２２０は、基板側からみると、タンタル単体やタンタル合金などから形成され、かつ、データ線２１２からＴ字状に枝分かれした第１の導電体２２２と、この第１の導電体２２２を陽極酸化させた絶縁体２２４と、クロム等などの第２の導電体２２６とから構成されて、導電体／絶縁体／導電体のサンドイッチ構造を採る。このため、ＴＦＤ２２０は、電流−電圧特性が正負双方向にわたって非線形となるダイオードスイッチング特性を有することになる。
【００３０】
なお、素子基板２００の上面に形成された絶縁体２０１は、透明性および絶縁性を有するものである。この絶縁体２０１が形成される理由は、第２の導電体２２６の堆積後における熱処理により、第１の導電体２２２が剥離しないようにするため、および、第１の導電体２２２に不純物が拡散しないようにするためである。したがって、これらが問題とならない場合には、絶縁体２０１は省略可能である。
【００３１】
一方、対向基板３００の対向面には、ＩＴＯなどからなる走査線３１２が、データ線２１２とは直交する行方向に延在し、かつ、画素電極２３４の対向する位置に配列している。これにより、走査線３１２は、画素電極２３４の対向電極として機能することになる。したがって、図１における液晶容量１１８は、データ線２１２と走査線３１２との交差において、当該走査線３１２と、画素電極２３４と、両者の間に挟持された液晶１６０とによって構成されることになる。
【００３２】
このような構成において、データ線２１２に印加されているデータ電圧にかかわらず、ＴＦＤ２２０がオンする選択電圧を走査線３１２に印加すると、当該走査線３１２および当該データ線２１２の交差に対応するＴＦＤ２２０がオンして、オンしたＴＦＤ２２０に接続された液晶容量１１８に、当該選択電圧および当該データ電圧の差に応じた電荷が蓄積される。電荷蓄積後、走査線３１２に非選択電圧を印加して、当該ＴＦＤ２２０をオフさせても、液晶容量１１８における電荷の蓄積が維持される。
ここで、液晶容量１１８に蓄積される電荷量に応じて、液晶１６０の配向状態が変化する。このため、偏光子１２１、１３１を通過する光量も、蓄積された電荷量に応じて変化する。したがって、選択電圧が印加されたときのデータ電圧によって、液晶容量１１８における電荷の蓄積量を画素毎に制御することで、所定の階調表示が可能になる。
【００３３】
＜駆動＞
ところで、上述した画素１１６の１個分は、図２１（ａ）に示されるような等価回路で表すことができる。すなわち、一般的に、ｉ（ｉは、１≦ｉ≦１６０を満たす整数）行目の走査線３１２と、ｊ（ｊは、１≦ｊ≦１２０を満たす整数）列目のデータ線２１２との交差に対応する画素１１６は、同図に示されるように、抵抗ＲTおよび容量ＣTの並列回路で示されるＴＦＤ２２０と、抵抗ＲLCおよび容量ＣLCの並列回路で示される液晶容量１１８との直列回路により表すことができる。
【００３４】
ここで、一般的な駆動方法たる４値駆動法（１Ｈセレクト、１Ｈ反転）について説明する。図２２は、この４値駆動法（１Ｈセレクト、１Ｈ反転）において、ｉ行ｊ列の画素１１６に印加される走査信号Ｙｉとデータ信号Ｘｊとの波形例を示す図である。
この駆動法では、走査信号Ｙｉとして、１水平走査期間（１Ｈ）に選択電圧＋ＶSを印加した後、非選択（保持）期間に非選択電圧＋ＶD／２を印加するとともに、前回の選択から１垂直走査期間（１Ｆ）経過すると、今度は選択電圧−ＶSを印加して、非選択期間に非選択電圧−ＶD／２を印加する、という動作を繰り返す一方、データ信号Ｘｊとして電圧±ＶD／２のいずれかを印加する、というものである。
この際、ある走査線３１２への走査信号Ｙｉとして選択電圧＋ＶSを印加すると、その次行に位置する走査線３１２への走査信号Ｙｉ＋１として選択電圧−ＶSを印加する、というように１水平走査期間（１Ｈ）毎に選択電圧の極性が反転される動作も行われる。
【００３５】
一方、データ信号Ｘｊの電圧は、選択電圧＋ＶSを印加する場合であって、画素１１６を、ノーマリーホワイトモードにおいて黒色表示とするときには−ＶD／２となり、画素１１６を白色表示とするときには＋ＶD／２となる。また、選択電圧−ＶSを印加する場合であって、画素１１６を黒色表示とするときには＋ＶD／２となり、画素１１６を白色表示とするときには−ＶD／２となる。
【００３６】
ところで、この４値駆動法（１Ｈセレクト、１Ｈ反転）では、例えば図２３に示されるように、表示画面１００ａの一部領域Ａにおいて、１行毎の白色および黒色からなるゼブラ表示とし、それ以外の領域では単なる例えば白色表示とする場合に、クロストークが発生する、という問題、すなわち濃淡差を伴う白色表示が、領域Ａに対してＹ方向に発生する、という問題が知られている。
【００３７】
この発生原因を簡単に説明すれば次のような理由による。すなわち、領域Ａにおいてゼブラ表示を行うと、領域Ａにかかるデータ線へのデータ信号においては、電圧±ＶD／２の切替周期が走査信号の反転周期と一致してしまうので、そのデータ信号は、領域Ａにかかる走査線が選択される期間にわたって、電圧±ＶD／２のいずれか一方に固定されてしまう。これを、領域Ａに対してＹ方向に隣接する領域の画素からみれば、保持期間のうち、領域Ａに対応するデータ信号が供給される特定期間において、電圧±ＶD／２のいずれか一方に固定されることを意味する。一方、相隣接する走査線での選択電圧は、上述したように互いに反対極性である。
したがって、領域Ａに対しＹ方向に隣接する領域の画素に印加される電圧実効値は、奇数行と偶数行とにおいて互いに異なってしまう。この結果、領域Ａに対してＹ方向に隣接する領域において、奇数行の画素１１６と偶数行の画素１１６とにおいて濃度差が生じて、上述したようなクロストークが発生してしまうのである。なお、このようなクロストークは、ゼブラ表示のほか、市松模様を表示させる場合にも発生する。
【００３８】
そこで、このクロストークを解消するために、４値駆動法（１／２Ｈセレクト、１Ｈ反転）という駆動方法が用いられる。この駆動法は、図２４に示されるように、４値駆動法（１Ｈセレクト、１Ｈ反転）における１水平走査期間（１Ｈ）を２分割して前半期間と後半期間とに分け、このうちの一方の期間、例えば後半期間１／２Ｈにおいて走査線に選択電圧を印加するとともに、１水平走査期間１Ｈにわたって、データ信号に電圧−ＶD／２と＋ＶD／２とを印加する期間の割合をそれぞれ５０％としたものである。この４値駆動法（１／２Ｈセレクト、１Ｈ反転）によれば、いかなるパターンを表示させたとしても、データ信号Ｘｊにおいて、電圧−ＶD／２が印加される期間と電圧＋ＶD／２が印加される期間とが互いに半分ずつとなるので、上述したクロストークの発生が防止されることとなる。
なお、この後半期間に印加する選択電圧の逆極性の選択電圧を、前半期間に印加する場合もあるが、本件に直接関与しないので説明を省略する。
【００３９】
しかしながら、この４値駆動法（１／２Ｈセレクト、１Ｈ反転）いう駆動方法では、特に階調表示を行うと、データ信号Ｘｊの電圧切替頻度が高くなる、という問題がある。例えば、ｊ列目のデータ線２１２に供給されるデータ信号Ｘｊの電圧は、図２４に示されるように、中間階調（灰色）とすべき画素が列方向に連続していると、走査線３１２を１本選択する毎（１水平走査期間毎）に３回の割合にて切り替わる。
ここで、データ信号Ｘｊの電圧切替頻度が高くなることに伴う問題について説明するため、１垂直走査期間（１Ｆ）の大部分を占める非選択期間に着目する。この非選択期間では、ＴＦＤ２２０がオフになるから、その抵抗ＲTは十分に大きくなる。また、液晶容量１１８の抵抗ＲLCは、ＴＦＤ２２０のオンオフにかかわらず十分に大きい。このため、保持期間における画素１１６の等価回路は、図２１（ｂ）に示されるように、容量ＣTおよび容量ＣLCの直列合成容量からなる容量Ｃpixで表すことができる。なお、容量Ｃpixは、（ＣT・ＣLC）／（ＣT＋ＣLC）である。
【００４０】
次に、図２５（ａ）に示されるように、例えばｉ行目の走査線３１２が非選択であって、当該走査線への走査信号Ｙｉが例えば非選択電圧＋ＶD／２に保持されている場合に、ｊ列目のデータ線２１２へのデータ信号Ｘｊの電圧が＋ＶD／２である状態とする。この状態から、データ信号Ｘｊの電圧が、図２５（ｂ）に示されるように−ＶD／２に切り替わると、１つの画素１１６にＣpix・ＶDの電荷が供給される。したがって、非選択期間においてデータ信号Ｘｊに電圧切替が発生すると、ｊ列目のデータ線２１２に接続されるほぼすべての画素１１６の容量Ｃpixにわたって、充電または放電が行われることになる（選択走査線との交差に対応する画素は除かれる）。なお、ここでは、画素１１６における容量Ｃpixについて説明したが、データ線には、このほかにも種々の容量が寄生する。例えば、図３において、データ線２１２と走査線３１２とは、液晶１６０を介して互いに対向するため、データ線２１２には、他方の電極が走査線３１２とし、液晶１６０を誘電体とする寄生容量が形成される。このため、データ信号Ｘｊの電圧切替頻度が高いと、容量Ｃpixとともに種々の寄生容量においてそれだけ頻繁に充放電が行われて、電力が消費されてしまうので、低消費電力を阻害する大きな要因となる。
【００４１】
そこで、本実施形態に係る表示装置は、クロストークの発生を抑えた上で、データ信号Ｘｊの電圧切替頻度を少なくするため、走査線を順番に選択するための選択期間と、走査線のいずれも選択しない補正期間とを設けて、このうち、選択期間には、選択走査線とデータ線との交差に対応する画素の表示内容に応じたデータ信号を供給する一方、補正期間には、選択期間に供給したデータ信号を反転して供給する構成とした。以下、このような走査信号やデータ信号を供給するための回路について説明する。
【００４２】
＜制御回路＞
便宜上、図１における制御回路４００によって生成される制御信号やクロック信号などの各種信号について説明する。
まず、Ｙ（垂直走査）側に用いられる信号について説明する。
第１に、スタートパルスＤＹは、図６に示されるように、１垂直走査期間（１Ｆ）の最初に出力されるパルスである。
第２に、クロック信号ＹＣＫは、Ｙ側の基準信号であり、同図に示されるように、１水平走査期間（１Ｈ）の周期を有する。
第３に、期間指示信号Ｓ／Ｃは、選択期間または補正期間のいずれかを指示するための信号であり、詳細には、同図に示されるように、Ｈレベルであれば選択期間であることを、Ｌレベルであれば補正期間であることを、それぞれ指示する信号である。ここで、本実施形態では、連続して選択する走査線３１２の本数を、便宜上「４」にすると、期間指示信号Ｓ／Ｃは、１垂直走査期間のうち、最初の４水平走査期間にわたってＨレベルとなり、続く４水平走査期間にわたってＬレベルとなって、以降同様に、４水平走査期間毎にレベル反転することになる。
第４に、極性指示信号ＰＯＬは、走査信号における選択電圧の極性を指示するための信号であり、同図に示されるように、選択期間では、１水平走査期間（１Ｈ）毎に論理レベルが反転し、直後の補正期間では、選択期間での論理レベルを反転したものとなる。さらに、極性指示信号ＰＯＬでは、交流駆動化のために、ある垂直走査期間と、その直前・直後の垂直走査期間とにおいても、論理レベルが反転する関係となっている。
【００４３】
次に、Ｘ（水平走査）側に用いられる信号について説明する。
第１に、スタートパルスＤＸは、図１１に示されるように、１行分の階調データＤpixの供給開始タイミングにおいて出力されるパルスである。ここで、階調データＤpixは、画素の階調を指示するデータであり、本実施形態では、便宜上、３ビットする。したがって、本実施形態に係る表示装置は、３ビットの階調データＤpixにしたがって８（＝２3）階調の濃淡表示を画素毎に行うものとなる。
第２に、クロック信号ＸＣＫは、Ｘ側の基準信号であり、その周期は、同図に示されるように、階調データＤpixの１画素分が供給される期間に相当している。
第３に、ラッチパルスＬＰは、１水平走査期間（１Ｈ）の開始時に立ち上がるパルスであって、図１１に示されるように、１行分の階調データＤpixが供給された後のタイミングにて出力されるパルスである。
第４に、階調コードパルスＧＣＰは、図１２に示されるように、１水平走査期間（１Ｈ）において、中間階調に応じた期間の位置にそれぞれ配列するパルスである。ここで、本実施形態において、３ビットの階調データＤpixが、（０００）であれば白色表示を指示する一方、（１１１）であれば黒色表示を指示するものとすると、階調コードパルスＧＣＰは、１水平走査期間（１Ｈ）において、白色または黒色を除く灰色の（１１０）、（１０１）、（１００）、（０１１）、（０１０）、（００１）の６個に対応してパルスを配列したものとなっている。なお、図１２において、階調コードパルスＧＣＰは、実際には、画素の印加電圧−濃度特性（Ｖ−Ｉ特性）を考慮して設定される。
【００４４】
＜Ｙドライバ＞
次に、Ｙドライバ３５０の詳細について説明する。図５は、このＹドライバ３５０の構成を示すブロック図である。この図において、シフトレジスタ３５２は、走査線３１２に総数に対応した１６０ビットシフトレジスタである。
詳細には、シフトレジスタ３５２は、期間指示信号Ｓ／ＣがＨレベルあれば、１垂直走査期間の最初に供給されるスタートパルスＤＹをクロック信号ＹＣＫにしたがって順次シフトして、転送信号ＹＳ１、ＹＳ２、ＹＳ３、…、ＹＳ１６０として順次出力する一方、期間指示信号Ｓ／ＣがＬレベルであれば、転送動作を一時的に停止するとともに、転送信号ＹＳ１、ＹＳ２、ＹＳ３、…、ＹＳ１６０のすべてをＬレベルとするものである。
ここで、転送信号ＹＳ１、ＹＳ２、ＹＳ３、…、ＹＳ１６０は、それぞれ１行目、２行目、３行目、…、１６０行目の走査線３１２にそれぞれ１対１に対応するものであって、いずれかの転送信号がＨレベルになると、それに対応する走査線３１２を選択すべきであることを意味する。
【００４５】
続いて、電圧選択信号形成回路３５４は、転送信号と極性指示信号ＰＯＬとから、走査線３１２に印加すべき電圧を選択させるための電圧選択信号ＹＣ１、ＹＣ２、ＹＣ３、…、ＹＣ１６０を、それぞれ１行目、２行目、３行目、…、１６０行目の走査線３１２にそれぞれ１対１に対応して出力するものである。ここで、本実施形態において、走査線３１２に印加される走査信号の電圧は、上述したように＋ＶS（正側選択電圧）、＋ＶD／２（正側非選択電圧）、−ＶS（負側非選択電圧）、−ＶD／２（負側選択電圧）の４値である。このうち、非選択電圧は、選択電圧＋ＶSが印加された後では＋ＶD／２であり、選択電圧−ＶSが印加された後では−ＶD／２であって、直前の選択電圧により一義的に定まっている。
【００４６】
このため、電圧選択信号形成回路３５４は、走査信号の電圧が次のような関係となるように、電圧選択信号ＹＣ１、ＹＣ２、ＹＣ３、…、ＹＣ１６０を生成する。
すなわち、電圧選択信号形成回路３５０４は、第１に、一般的にｉ行目に対応する転送信号ＹＳｉがＨレベルになったとき、極性指示信号ＰＯＬがＨレベルであれば、正側選択電圧＋ＶSを選択させ、その後、転送信号ＹＳｉがＬレベルに遷移すると、正側非選択電圧＋ＶD／２を選択させるような電圧選択信号ＹＣｉを出力する一方、転送信号ＹＳｉがＨレベルになったとき、極性指示信号ＰＯＬがＬレベルであれば、負側選択電圧−ＶSを選択させ、その後、転送信号ＹＳｉがＬレベルに遷移すると、負側非選択電圧−ＶD／２を選択させるような電圧選択信号ＹＣｉを出力する。
【００４７】
次に、レベルシフタ３５６は、電圧選択信号形成回路３５４によって出力される電圧選択信号ＹＣ１、ＹＣ２、ＹＣ３、…、ＹＣ１６０の電圧振幅を拡大するものである。
そして、セレクタ３５８は、電圧振幅が拡大された電圧選択信号によって指示された電圧を、実際に選択して、対応する走査線３１２の各々に印加するものである。
【００４８】
＜走査信号の電圧波形＞
次に、走査信号の電圧波形を説明するために、Ｙドライバ３５０の動作について検討する。
まず、図６に示されるように、１垂直走査期間（１Ｆ）のはじめに、スタートパルスＤＹが供給されるとともに、期間指示信号Ｓ／Ｃが４水平走査期間においてＨレベルとなって、選択期間であることが指示される。このため、スタートパルスＤＹが、シフトレジスタ３５２によりクロック信号ＹＣＫにしたがって転送される結果、当該選択期間では、転送信号ＹＳ１、ＹＳ２、ＹＳ３、ＹＳ４が順番にＨレベルとなる。
【００４９】
次に、期間指示信号Ｓ／ＣがＬレベルになって、補正期間であることが指示されると、すべての転送信号がＬレベルにされるが、この補正期間では、シフトレジスタ３５２による転送動作が一時的に停止しているだけである。このため、期間指示信号Ｓ／ＣがＬレベルとなって４水平走査期間経過し、再び期間指示信号Ｓ／ＣがＨレベルになって選択期間が指示されると、転送動作が再開して、転送信号ＹＳ５、ＹＳ６、ＹＳ７、ＹＳ８が順番にＨレベルになる。この後、期間指示信号Ｓ／ＣがＬレベルとなって再び補正期間が指示されることになって、以降、同様な動作が繰り返される。
【００５０】
上述したように本実施形態では、走査線３１２の本数を「１６０」とし、また、連続して選択する走査線３１２の本数を「４」としているので、１垂直走査期間において、選択期間と補正期間とが「４０」回出現することになる。このため、垂直走査期間の開始から数えて、一般的にｐ（ｐは、１≦ｐ≦４０を満たす整数）番目の選択期間では、転送信号ＹＳ（４・ｐ−３）、ＹＳ（４・ｐ−２）、ＹＳ（４・ｐ−１）、ＹＳ（４・ｐ）が順番にＨレベルとなる一方、該選択期間後における補正期間では、すべての転送信号がＬレベルとなる。
【００５１】
一方、走査信号の電圧は、上述したように、対応する転送信号がＨレベルとなったときにおける極性指示信号ＰＯＬの論理レベルによって指示される。このため、転送信号が上述したように変化すると、各走査信号の電圧波形は、図７に示される通りとなる。
すなわち、一般的にｉ行目の走査線３１２に供給される走査信号Ｙｉは、転送信号ＹＳｉがＨレベルになったときに、極性指示信号ＰＯＬがＨレベルであれば、正側選択電圧＋ＶSとなって、その後、正側非選択電圧＋ＶD／２に保持される一方、転送信号ＹＳｉがＨレベルになったときに、極性指示信号ＰＯＬがＬレベルであれば、負側選択電圧−ＶSとなって、その後、負側非選択電圧−ＶD／２に保持される。
【００５２】
また、極性指示信号ＰＯＬは、期間指示信号Ｓ／Ｃの論理レベルが変化しなければ、１水平走査期間毎にレベル反転するので（図６参照）、走査信号の極性は、１本毎に極性反転されることになる。
さらに、次の１垂直走査期間における極性指示信号ＰＯＬの論理レベルは、直前の１垂直走査期間に対して反転するので（図６参照）、ある垂直走査期間において、ある走査線が選択されたときの選択電圧が、例えば正側選択電圧＋ＶSであったとすると、次の垂直走査期間において、当該走査線が選択されたときの選択電圧は、負側選択電圧−ＶSとなる。
【００５３】
＜階調データの供給＞
次に、制御回路４００のうち、階調データＤpixを供給するための構成について図８を参照して説明する。
この図において、メモリ４５２は、図示せぬ上位装置から、図９に示されるようなタイミングにて供給される階調データＤpを、４行分（４行×１２０列×３ビット）の記憶するためのものである。詳細には、メモリ４５２は、期間指示信号Ｓ／ＣがＨレベルである（選択期間である）場合に、階調データＤpを順番に書き込む一方、期間指示信号Ｓ／ＣがＬレベルである（補正期間である）場合に、書き込んだ階調データＤpを、書き込んだ順番にて読み出して出力するものである。このため、メモリ４５２への書込・読出アドレスは、スタートパルスＤＸおよびクロック信号ＤＸに同期して生成される構成となっている。
続いて、セレクタ４５４は、期間指示信号Ｓ／ＣがＨレベルであれば入力端ａを選択する一方、Ｌレベルであれば入力端ｂを選択して、選択した入力端に供給されている階調データＤpを、Ｄpixとして、Ｘドライバ２５０に出力するものである。
【００５４】
したがって、選択期間では、上位装置からの階調データＤpが、Ｄpixとして出力されるとともに、メモリ４５２に順番に書き込まれる一方、補正期間では、メモリ４５２から順番に読み出された階調データＤpが、Ｄpixとして出力されることになる。
このため、本実施形態において、選択期間に供給される階調データＤpixと、この直後の補正期間に供給される階調データＤpixとは、図９に示されるように、互いに同一のものとなる。
なお、図９において、階調データＤp、Ｄpixにおいて、例えば「３−２」という表記は、３行２列の画素に対応している、ということを意味している。
【００５５】
＜Ｘドライバ＞
次に、Ｘドライバ２５０の詳細について説明する。図１０は、このＸドライバ２５０の構成を示すブロック図である。この図において、シフトレジスタ２５１０は、１行分の階調データＤpixの供給開始タイミングにおいて出力されるスタートパルスＤＸを、クロック信号ＸＣＫの立ち上がり毎に順次シフトして、サンプリング制御信号Ｘｓ１、Ｘｓ２、Ｘｓ３、…、Ｘｓ１２０として出力するものである。
【００５６】
続いて、レジスタ（Ｒｅｇ）２５２０は、データ線２１２と１対１に対応して設けられ、上述したように供給された階調データＤpixを、サンプリング制御信号の立ち上がりにてサンプリングして、保持するものである。
さらに、ラッチ回路（Ｌ）２５３０は、レジスタ２５２０と１対１に対応して設けられ、対応するレジスタ２５２０によって保持された階調データＤpixを、水平走査期間の開始時に供給されるラッチパルスＬＰの立ち上がりによってラッチして出力するものである。
【００５７】
一方、カウンタ２５４０は、ラッチパルスＬＰの立ち上がりにて、階調データの黒色表示に相当する（１１１）を初期値としてセットするとともに、該初期値を階調コードパルスＧＣＰが立ち上がる毎にダウンカウントして、その計数結果Ｃを出力するものである。
次に、コンパレータ（ＣＭＰ）２５５０は、ラッチ回路２５３０と１対１に対応して設けられ、カウンタ２５４０による計数結果Ｃと、対応するラッチ回路２５３０によりラッチされた階調データＤpixとを比較して、後者が前者以上となったときに、Ｈレベルとなる信号を出力するものである。
【００５８】
また、スイッチ２５６０は、極性指示信号ＰＯＬがＨレベルであれば、図において実線で示される位置をとって、データ電圧＋ＶD／２を電圧供給線２５６２に、データ電圧−ＶD／２を電圧供給線２５６４に、それぞれ供給する一方、極性指示信号ＰＯＬがＬレベルであれば、図において破線で示される位置をとって、データ電圧＋ＶD／２を電圧供給線２５６４に、データ電圧−ＶD／２を電圧供給線２５６２に、それぞれ供給するものである。
そして、スイッチ２５７０は、コンパレータ２５５０と１対１に対応して、すなわち、データ線２１２と１対１に対応して設けられるものである。詳細には、スイッチ２５７０は、コンパレータ２５５０による比較結果を示す信号がＬレベルであれば、図において実線で示されるように電圧供給線２５６２を選択する一方、該信号がＨレベルであれば、図において破線で示されるように電圧供給線２５６４を選択して、それぞれ選択した電圧供給線に供給されているデータ電圧を、データ信号として、対応するデータ線２１２に印加するものである。
【００５９】
＜データ信号の電圧波形＞
次に、データ信号の電圧波形を説明するために、Ｘドライバ３５０の動作について検討する。
まず、図１１に示されるように、スタートパルスＤＸがＨレベルに立ち上がると、いずれかの行における１列目、２列目、３列目、…、１２０列目の画素に対応する階調データＤpixが順番に供給される。
【００６０】
このうち、１列目の画素に対応する階調データＤpixが供給されるタイミングにおいて、シフトレジスタ２５１０から出力されるサンプリング制御信号Ｘｓ１がＨレベルに立ち上がると、当該階調データが、１列目に対応するレジスタ２５２０によってサンプリングされる。
次に、２列目の画素に対応する階調データＤpixが供給されるタイミングにおいて、サンプリング制御信号Ｘｓ２がＨレベルに立ち上がると、当該階調データが、２列目に対応するレジスタ２５２０によってサンプリングされる。以下同様にして、３列目、４列目、…、１２０列目の画素に対応する階調データＤpixの各々が、それぞれ３列目、４列目、…、１２０列目に対応するレジスタ２５２０によってサンプリングされることになる。
【００６１】
続いて、ラッチパルスＬＰが出力されると（その論理レベルがＨレベルに立ち上がると）、それぞれ各列のレジスタ２５２０によってサンプリングされた階調データＤpixが、それぞれの列に対応するラッチ回路２５３０によって一斉にラッチされる。そして、このようにラッチされた階調データＤpixと、カウンタ２５４０による計数結果Ｃとが、コンパレータ２５５０によってそれぞれ比較されることになる。
一方、計数結果Ｃは、図１２に示されるように、ラッチパルスＬＰの立ち上がりによってセットされた（１１１）を、階調コードパルスＧＣＰが立ち上がる毎に、カウンタ２５５０によってダウンカウントした値となる。
【００６２】
ここで、一般的にｊ列目のラッチ回路２５３０によってラッチされた階調データＤpixが、白色に相当する（０００）である場合を想定する。この場合、ラッチパルスＬＰが出力されてから階調コードパルスＧＣＰが６回出力されても、計数結果Ｃが、ラッチされた（０００）以下にならないので、ｊ列目のコンパレータ２５５０による出力信号は、当該ラッチパルスＬＰによって規定される１水平走査期間にわたってＬレベルを維持する。このため、ｊ列目のスイッチ２５７０では、電圧供給線２５６２の選択が維持される。
そして、当該水平走査期間において極性指示信号ＰＯＬがＨレベルであれば、スイッチ２５６０によって電圧＋ＶD／２が電圧供給線２５６２に供給されるので、データ信号Ｘｊは、図１２に示されるように、該水平走査期間にわたって電圧＋ＶD／２のままとなる。
反対に、当該水平走査期間において極性指示信号ＰＯＬがＬレベルであれば、スイッチ２５６０によって電圧−ＶD／２が電圧供給線２５６２に供給されるので、データ信号Ｘｊは、同図に示されるように、該水平走査期間にわたって電圧−ＶD／２のままとなる。
【００６３】
次に、一般的にｊ列目のラッチ回路２５３０によってラッチされた階調データＤpixが、灰色に相当する（１００）である場合を想定する。この場合、ラッチパルスＬＰが出力されてから階調コードパルスＧＣＰが３回出力された時点にて、計数結果Ｃが、ラッチされた（１００）以下になるので、当該時点にて、ｊ列目のコンパレータ２５５０による出力信号は、ＬレベルからＨレベルに遷移する。このため、ｊ列目のスイッチ２５７０における選択は、当該時点にて、電圧供給線２５６２から電圧供給線２５６４に選択が切り替わる。
そして、当該水平走査期間において極性指示信号ＰＯＬがＨレベルであれば、スイッチ２５６０によって、電圧＋ＶD／２が電圧供給線２５６２に、電圧−ＶD／２が電圧供給線２５６４に、それぞれ供給されるので、データ信号Ｘｊは、図１２に示されるように、当該時点にて電圧＋ＶD／２から電圧−ＶD／２に切り替わる。
反対に、当該水平走査期間において極性指示信号ＰＯＬがＬレベルであれば、スイッチ２５６０によって、電圧−ＶD／２が電圧供給線２５６２に、電圧＋ＶD／２が電圧供給線２５６４に、それぞれ供給されるので、データ信号Ｘｊは、同図１２に示されるように、当該時点にて電圧−ＶD／２から電圧＋ＶD／２に切り替わる。
なお、ラッチされた階調データＤpixが、（１００）以外の灰色に相当する場合でも、コンパレータ２５５０による出力信号の遷移タイミングが異なる点を除いて、同様となる。
【００６４】
さらに、一般的にｊ列目のラッチ回路２５３０によってラッチされた階調データＤpixが、黒色に相当する（１１１）である場合を想定する。この場合、ラッチパルスＬＰが出力された時点にて、直ちに、計数結果Ｃがラッチされた（１１１）以下になるので、ｊ列目のコンパレータ２５５０による出力信号は、当該ラッチパルスＬＰによって規定される１水平走査期間にわたってＨレベルを維持する。このため、ｊ列目のスイッチ２５７０では、電圧供給線２５６４の選択が維持される。
そして、当該水平走査期間において極性指示信号ＰＯＬがＨレベルであれば、スイッチ２５６０によって電圧−ＶD／２が電圧供給線２５６４に供給されるので、データ信号Ｘｊは、図１２に示されるように、該水平走査期間にわたって電圧−ＶD／２のままとなる。
反対に、当該水平走査期間において極性指示信号ＰＯＬがＬレベルであれば、スイッチ２５６０によって電圧＋ＶD／２が電圧供給線２５６２に供給されるので、データ信号Ｘｊは、同図に示されるように、該水平走査期間にわたって電圧＋ＶD／２のままとなる。
【００６５】
したがって、ラッチ回路２５３０によってラッチされた階調データＤpixが同一である場合に、極性指示信号ＰＯＬがＨレベルである場合におけるデータ信号Ｘｊと、極性指示信号ＰＯＬがＬレベルである場合におけるデータ信号Ｘｊとは、データ電圧±ＶD／２を中心とする仮想的な電圧に対して、互いに反転した関係になる。
【００６６】
＜選択期間と補正期間との関係＞
次に、本実施形態に係る表示装置において、選択期間と補正期間との関係について中心に説明する。
まず、図９に示されるように、選択期間に供給される階調データＤpixと、その直後の補正期間に供給される階調データＤpixとは、供給される順番も含めて互いに同一である。
一方、図６に示されるように、選択期間に供給される極性指示信号ＰＯＬと、その直後の補正期間に供給される極性指示信号ＰＯＬとは、互いレベル反転した関係にある。
ここで、上述したように、階調データＤpixが同一である場合に、極性指示信号ＰＯＬがＨレベルである時とＬレベルである時とでは、データ信号Ｘｊも、データ電圧±ＶD／２を中心として反転した関係となる。
【００６７】
したがって、第１実施形態において、補正期間に印加されるデータ信号Ｘｊの電圧波形は、図１４に示されるように、その直前の選択期間に印加された電圧波形を、データ電圧±ＶD／２を中心として反転したものとなる。
このため、選択期間から補正期間まで通してみた場合、データ信号が電圧＋ＶD／２となる期間の割合と、電圧−ＶD／２となる期間の割合とは、いかなるパターンを表示させたとしても、それぞれ５０％となるので、図２４における４値駆動法（１／２セレクト、１Ｈ反転）と同様に、クロストークの発生が防止されることとなる。
【００６８】
一方、第１実施形態では、選択期間において、走査線３１２を４本選択して、選択走査線に位置する画素の表示内容に応じたデータ電圧が印加される一方、補正期間において、該選択期間に印加された電圧波形を反転させた電圧波形が印加される。この際、中間階調（灰色）とすべき画素が列方向に連続する場合であって、データ信号Ｘｊの電圧切替回数は、図１４に示されるように、選択期間から補正期間までの期間にわたって１０回である。選択期間から補正期間までの期間は、本実施形態では、４本の走査線を選択するとともに、データ電圧±ＶD／２の印加期間を等しくするのに要する期間であるので、走査線の１本当たりに換算すると、２．５回となる。したがって、第１実施形態では、４値駆動法（１／２セレクト、１Ｈ反転）における１本当たり３回と比較して、データ信号Ｘｊの電圧切替頻度が低減されるので、その分、低消費電力化が可能となる。
【００６９】
＜連続選択走査線数＞
上述した第１実施形態では、連続して選択する走査線の本数を、便宜上「４」にしたが、本発明は、これに限られない。ここで、連続して選択する走査線の本数を「ｋ」とすると、データ信号の電圧切替回数は、１本の走査線当たりに換算すると、（２・ｋ＋２）／ｋと表すことができる。このため、図１７に示されるように、連続選択走査線ｋを大きく設定するにつれて、データ信号の電圧切替頻度を、４値駆動法（１／２セレクト、１Ｈ反転）における３回よりも、低減させることが可能となる。
例えば、連続選択走査線ｋを「２０」程度に設定すると、データ信号の電圧切替頻度が、４値駆動法（１／２セレクト、１Ｈ反転）１回と比較して、約３割、減少することになる。
【００７０】
ただし、データ信号の電圧切替頻度の低減による低消費電力化の観点のみを考慮して、連続選択走査線数ｋをむやみに大きく設定するのは、好ましくない。この理由は、選択期間におけるデータ信号の影響と、補正期間におけるデータ信号の影響とが、選択期間の始まりの方で選択される走査線と、選択期間の終わりの方で選択される走査線とにおいて異なるので、さらに、奇数行と偶数行とでも異なるので、連続選択走査線数ｋを大きくすると、図１５に示されるように、その相違が顕著となって、表示の差として視認される可能性が高くなるからである。
【００７１】
そこで、連続選択走査線ｋをある程度小さくして、１垂直走査期間における選択期間と補正期間とを複数組に分割すれば、選択期間におけるデータ信号の影響と、補正期間におけるデータ信号の影響との差を小さくすることができる。例えば、図１６に示されるように、１垂直走査期間において、選択期間と補正期間とを２組設けると、図１５における１組設ける場合と比較して、選択期間におけるデータ信号の影響と、補正期間におけるデータ信号の影響との差は小さくなる。
一方、連続選択走査線数ｋを小さくして、１垂直走査期間における選択期間と補正期間とを多数に分割すると、影響の差は少なくなるが、図１７に示されるように、データ信号の電圧切替回数が増加するので、低消費電力化の効果が薄れることになる。
したがって、連続選択走査線数ｋについては、表示装置としての走査線本数や、低消費電力化、表示の差などを総合的に勘案して設定する必要がある。
【００７２】
なお、図１５および図１６は、黒色画素と白色画素とが列（Ｙ方向）に連続するような表示（図１３参照）とする場合に、各行の画素における電圧実効値を簡略的に斜線領域で示したものである。このうち、図１５は、１垂直走査期間を２分割して、選択期間と補正期間とに分けた場合を示し、図１６は、１垂直走査期間を４分割して、選択期間と補正期間とに分けた場合を示している。
【００７３】
＜Ｘドライバの別構成＞
なお、上述した第１実施形態においては、Ｘドライバ２５０を、図１０に示される構成のほか、図１８に示される構成としても良い。
この図に示される構成が、図１０に示される構成と相違する点は、各列毎に、カウンタ２５４２およびコンパレータ２５５２が設けられている点にある。このうち、カウンタ２５４２は、ラッチ回路２５３０によってラッチされた階調データＤpixを、ラッチパルスＬＰの立ち上がりにて初期値としてセットするとともに、該初期値を階調コードパルスＧＣＰが立ち上がる毎にアップカウントして、その計数結果を出力するものである。
次に、コンパレータ（ＣＭＰ）２５５２は、カウンタ２５４２による計数結果と、黒色に相当する（１１１）とを比較して、前者が後者に一致すれば、Ｈレベルとなる信号を保持出力するものである。
この図１８に示されるＸドライバ２５０によっても、図１０に示される構成と同様なデータ信号を生成することになる。
【００７４】
＜第２実施形態＞
上述した第１実施形態は、選択期間に印加された電圧波形をデータ電圧±ＶD／２の中心電圧を基準として反転させて、補正期間に印加するので、データ信号の電圧切替回数が、必然的に、選択期間と補正期間とにおいて互い同一回数となる。ここで、補正期間におけるデータ信号の役目は、選択期間から補正期間まで通してみた場合に、電圧＋ＶD／２になる期間の割合と、電圧−ＶD／２になる期間の割合とがそれぞれ５０％となるように調整することにある。したがって、この役目が達成されるのであれば、補正期間におけるデータ信号の電圧切替回数は、選択期間における回数と同一である必要はなく、それよりも少ない回数とした構成の方が、低消費電力化の観点から言えば望ましい。
【００７５】
そこで、このように、補正期間におけるデータ信号の電圧切替回数を、第１実施形態と比較して少なくなるように構成した第２実施形態について説明する。図１９は、この第２実施形態に係る表示装置のＸドライバの要部構成を示すブロック図である。
なお、この図においては、シフトレジスタの図示が省略され、また、一般的にｊ列目および（ｊ＋１）列目のデータ線２１２に対応する構成のみが示されている。
また、このＸドライバには、補正期間に階調データは供給されない。すなわち、第２実施形態では、図８に示される構成を介してではなく、階調データＤpが、上位装置から直接的に図９に示されるタイミングにて供給される構成となっている。
【００７６】
さて、図１９において、アキュムレータ（Ａｃｃ）２５８０は、期間指示信号Ｓ／Ｃの立ち上がりにて累算値をゼロリセットするとともに、ラッチ回路２５３０によりラッチ出力された階調データＤpを、極性指示信号ＰＯＬの論理レベルにしたがって累算値に加算、または、累算値から減算するものである。詳細には、アキュムレータ２５８０は、極性指示信号ＰＯＬがＨレベルであれば、ラッチ出力された階調データＤpを、累算値に加算して新たな累算値とする一方、極性指示信号ＰＯＬがＬレベルであれば、ラッチ出力された階調データＤpを、累算値から減算して新たな累算値とする。
ここで、アキュムレータ２５８０の累算値は、負の値となり得る一方、本実施形態において、階調データＤpは、３ビットの自然２進表記で供給される。このため、アキュムレータ２５８０は、ラッチされた階調データＤpを、５ビットの２の補数表記に変換した上で、加算・減算を行う構成となっている。
【００７７】
一方、カウンタ２５４５は、期間指示信号Ｓ／Ｃの立ち下がりにて、二の補数表記で（１００１１）を、すなわち十進表記で「−１４」を、初期値としてセットするとともに、該初期値を、ラッチパルスＬＰまたは階調コードパルスＧＣＰが立ち上がる毎にアップカウントして、その計数結果Ｅを出力するものである。このため、ラッチパルスＬＰと階調コードパルスＧＣＰとの論理和がＯＲゲート２５９２によって求められて、カウンタ２５４５の計数基準となる構成となっている。
続いて、コンパレータ（ＣＭＰ）２５５５は、アキュムレータ２５８０と１対１に対応して設けられ、カウンタ２５４５による計数結果Ｅと、対応するラッチ回路２５３０による累算値とを比較して、前者が後者以上となったときに、Ｈレベルとなる信号を出力するものである。
【００７８】
また、スイッチ２５７５は、コンパレータ２５５０、２５５５と、スイッチ２５７０との間に介挿されて、次のような選択を行うものである。すなわち、スイッチ２５７５は、期間指示信号Ｓ／ＣがＨレベルとなる選択期間では、図において実線で示される位置をとって、コンパレータ２５５０による比較結果を示す信号を選択する一方、期間指示信号Ｓ／ＣがＬレベルとなる補正期間では、図において破線で示される位置をとって、コンパレータ２５５５による比較結果を示す信号を選択して、スイッチ２５７０の制御信号として供給するものである。
【００７９】
なお、第２実施形態において、スイッチ２５６０の選択制御は、極性指示信号ＰＯＬではなく、ＯＲゲート２５９４による論理和信号にしたがって行われる。ここで、ＯＲゲート２５９４は、極性指示信号ＰＯＬと、期間指示信号Ｓ／Ｃをインバータ２５９６によって反転させた信号との論理和を求めるものである。
したがって、期間指示信号Ｓ／ＣがＨレベルとなる選択期間において、スイッチ２５６０は、図１０または図１８に示される構成と同様に、極性指示信号ＰＯＬの論理レベルにしたがって選択を行うことになる。一方、期間指示信号Ｓ／ＣがＬレベルである補正期間において、スイッチ２５６０は、極性指示信号ＰＯＬとは無関係に、図１９において実線で示される位置をとって、データ電圧＋ＶD／２を電圧供給線２５６２に、データ電圧−ＶD／２を電圧供給線２５６４に、それぞれ供給することになる。
なお、そのほかの構成については、図１０に示される構成と全く同一である。
【００８０】
＜動作とデータ信号の電圧波形＞
この第２実施形態に係る表示装置のＹドライバ２５０については、第１実施形態と同一であるので、ここでは、Ｘドライバ３５０の動作について説明することにする。
まず、期間指示信号Ｓ／ＣがＨレベルとなる選択期間において、スイッチ２５６０は、極性指示信号ＰＯＬの論理レベルにしたがって選択を行うとともに、スイッチ２５７５は、コンパレータ２５５０による比較結果を示す信号を選択するので、構成的には図１０に示される構成と同一となる。このため、動作的にも図１１および図１２に示される動作と同一となる。
【００８１】
例えば、４水平走査期間に相当する選択期間において、極性指示信号がＨ、Ｌ、Ｈ、Ｌレベルと変化する場合に、ｊ列目のラッチ回路２５３０によってラッチされた４列分の階調データＤpの各々が、（１１０）、（１００）、（０１０）、（１０１）である場合を想定する。
この場合、第１実施形態において説明した理由から、データ信号Ｘｊは、当該４水平走査期間において次のように変化することになる。すなわち、データ信号Ｘｊは、１番目の水平走査期間のうち、計数結果Ｃが（１１０）となったタイミングにて、電圧＋ＶD／２から電圧−ＶD／２に遷移し、２番目の水平走査期間のうち、計数結果Ｃが（１００）となったタイミングにて、電圧＋ＶD／２に遷移し、３番目の水平走査期間のうち、計数結果Ｃが（０１０）となったタイミングにて、電圧−ＶD／２に遷移し、４番目の水平走査期間のうち、計数結果Ｃが（１０１）となったタイミングにて、電圧＋ＶD／２に遷移することになる。
【００８２】
一方、選択期間の開始において期間指示信号Ｓ／Ｃが立ち上がると、アキュムレータ２５５８の累算値がオールゼロにリセットされるとともに、ラッチ回路２５３０によりラッチされた階調データＤpが、アキュムレータ２５５８にも供給されて、極性指示信号ＰＯＬの論理レベルにしたがって加算・減算が行われることになる。
例えば、当該４水平走査期間において、階調データＤpの各々が、上述したようにそれぞれ（１１０）、（１００）、（０１０）、（１０１）である場合、アキュムレータ２５５８は、初期値のゼロに、＋（１１０）−（１００）＋（１００）−（１０１）という演算を行うので、該選択期間の終了時における累算値は、最終的に二の補数表記で（１１１１１）となり、十進表記で「−１」となる。
【００８３】
次に、期間指示信号Ｓ／ＣがＬレベルとなる補正期間では、スイッチ２５６０は、データ電圧＋ＶD／２を電圧供給線２５６２に、データ電圧−ＶD／２を電圧供給線２５６４に、それぞれ供給する一方、スイッチ２５７５は、コンパレータ２５５５による比較結果を示す信号を選択する。したがって、この補正期間におけるデータ信号Ｘｊは、コンパレータ２５５５による比較結果によって定まることになる。
ここで、コンパレータ２５５５の比較対象の一方たる計数結果Ｅは、カウンタ２５４５によって、図２０（ｂ）に示されるように、期間指示信号Ｓ／ＣがＬレベルに立ち下がるタイミングにてセットされた初期値（１００１１）を、ラッチパルスＬＰまたは階調コードパルスＧＣＰが立ち上がる毎にアップカウントしたものである。また、本実施形態では、補正期間に階調データＤpが供給されないので、選択期間の終了時におけるアキュムレータ２５８０の累算値が、該補正期間においてそのまま保持されて、コンパレータ２５５５の比較対象の他方となる。
【００８４】
したがって、補正期間では、計数結果Ｅが累算値以上となったときに、データ信号Ｘｊは、電圧＋ＶD／２から電圧−ＶD／２に遷移することになる。
例えば、選択期間では、階調データＤpの各々が、上述したようにそれぞれ（１１０）、（１００）、（０１０）、（１０１）であって、該選択期間の終了時における累算値が（１１１１１）となっている場合、補正期間では、図２０（ｂ）に示されるように、計数結果Ｅが累算値たる（１１１１１）以上となったときに、データ信号Ｘｊが、電圧＋ＶD／２から電圧−ＶD／２に遷移することになる。
【００８５】
このように、第２実施形態では、補正期間に、データ信号Ｘｊとして連続して電圧＋ＶD／２となるの期間は、選択期間において電圧−ＶD／２となる期間の総和に等しく、また、補正期間に、データ信号Ｘｊとして連続して電圧−ＶD／２となるの期間は、選択期間において電圧＋ＶD／２となる期間の総和に等しくなる。
このため、第２実施形態では、選択期間から補正期間まで通してみた場合に、電圧＋ＶD／２になる期間の割合と、電圧−ＶD／２になる期間の割合とがそれぞれ５０％となる上、補正期間におけるデータ信号の電圧切替回数は、選択期間における回数よりも少なく、１回（厳密に言えば、補正期間終了後の選択期間開始において電圧が反転するので２回）で済む。したがって、第２実施形態では、クロストークの発生を抑えた上で、第１実施形態と比較して、低消費電力化を図ることが可能となる。
さらに、この第２実施形態では、補正期間に階調データを供給する必要もないので、図８に示されるような構成が不要となる。このため、第２実施形態では、メモリ４５２への書込・読出に要する電力等が削減されるので、さらなる低消費電力化を図ることが可能となる。
【００８６】
＜実施形態のまとめ＞
なお、上述した実施形態では、階調データを３ビットとして、８階調表示をする場合について説明したが、本発明はこれに限られず、２ビットの階調データによる４階調表示としても良いし、また、４ビット、５ビット、６ビット、…、ｎビットの階調データによる１６、３２、６４、…、２n階調表示としても良い。また、Ｒ（赤）、Ｇ（緑）、Ｂ（青）の３画素で１ドットを構成して、カラー表示を行うとしても良い。
さらに、実施形態にあっては、液晶容量の電圧無印加状態において白色表示を行うノーマリーホワイトモードとして説明したが、同状態において黒色表示となるノーマリーブラックモードとしても良い。
くわえて、実施形態にあっては、透過型としたが、反射型としても良いし、両者を併用した半透過半反射型としても良い。
【００８７】
また、実施形態にあっては、選択走査線に位置する画素の表示内容に応じたデータ信号を印加する選択期間が、該データ信号をキャンセルさせる信号を印加する補正期間よりも、時間的に先行した構成となっていたが、反対に、補正期間が選択期間に先行した構成としても良い。
さらに、実施形態にあっては、選択期間において選択電圧が印加されたときに、黒色表示に寄与する点灯電圧を、時間的に後方に寄せて印加する構成としたが、時間的に前方に印加する構成としても良いし、時間的に分散させる構成としても良い。
くわえて、実施形態では、選択期間にあっては、画素の表示色と走査線の選択電圧とに応じてデータ電圧±ＶD／２の印加期間を調整してデータ信号としたが、画素の表示色と走査線の選択電圧とに応じてデータ電圧そのものを規定したものをデータ信号としても良い。このように、画素の表示色と走査線の選択電圧とに応じてデータ信号の電圧を規定する場合、選択期間に印加されたデータ信号の逆極性電圧を、補正期間におけるデータ信号とすれば良い。
さらに、実施形態にあっては、液晶容量の書込極性を１垂直走査期間毎に反転する構成としたが、これに限られず、例えば２垂直走査期間以上の周期で反転駆動する構成としても良い。
【００８８】
また、上述した表示装置１００におけるＴＦＤ２２０は、データ線２１２の側に接続され、液晶容量１１８が走査線３１２の側に接続されているが、これとは逆に、ＴＦＤ２２０が走査線３１２の側に、液晶層１１８がデータ線２１２の側にそれぞれ接続される構成でも良い。
さらに、ＴＦＤ２２０は、二端子型スイッチング素子の一例であり、他に、ＺｎＯ（酸化亜鉛）バリスタや、ＭＳＩ（Metal Semi-Insulator）などを用いた素子のほか、これら素子を２つ逆向きに直列接続または並列接続したものなどを、二端子型スイッチング素子として用いることが可能である。
また、ＴＦＤ２２０などのようなスイッチング素子を用いずに、画素を駆動するパッシブ・マトリクス型の表示装置にも適用可能である。
【００８９】
さらに、実施形態にあっては、液晶としてＴＮ型やＳＴＮ型とした場合について説明したが、ＢＴＮ（Bi-stable Twisted Nematic）型・強誘電型などのメモリ性を有する双安定型、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたゲストホスト型などの液晶を用いても良い。
くわえて、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。
【００９０】
このように、本発明の駆動方法に適合するものであれば、液晶や配向方式として、種々のものを用いることが可能であり、さらには、これらの液晶装置のほかに、有機ＥＬや、蛍光表示管、プラズマディスプレイなどの自発光型表示装置にも適用可能である。
【００９１】
＜電子機器＞
次に、上述した実施形態に係る表示装置を電子機器に用いた例について説明する。
【００９２】
＜その１：パーソナルコンピュータ＞
まず、上述した表示装置１００を、マルチメディア対応のパーソナルコンピュータの表示部に適用した例について説明する。図２６は、このパーソナルコンピュータの構成を示す斜視図である。
この図に示されるように、コンピュータ１１００の本体１１１０には、表示部として用いられる表示装置１００や、光学ディスクの読取・書込ドライブ１１１２、磁気ディスクの読取・書込ドライブ１１１４、ステレオ用スピーカ１１１６などが備えられる。また、キーボード１１２２およびポインティングデバイス（マウス）１１２４は、本体１１１０とは入力信号・制御信号等の授受を、赤外線等を介してワイヤレスで行う構成となっている。
この表示装置１００は、カラー表示装置として用いられるので、ＲＧＢの３つの画素で１ドットが構成される。また、表示装置１００として、液晶装置を用いる場合には、透過型であればバックライト（図示省略）が設けられる。
【００９３】
＜その２：携帯電話＞
さらに、上述した表示装置１００を、携帯電話の表示部に適用した例について説明する。図２７は、この携帯電話の構成を示す斜視図である。
図において、携帯電話１２００は、複数の操作ボタン１２０２のほか、受話口１２０４、送話口１２０６とともに、上述した表示装置１００を備えるものである。なお、表示装置１００として、液晶装置を用いる場合には、暗所での視認性を確保するため、透過型や半透過半反射型であれば、バックライトが、反射型であればフロントライト（いずれも図示省略）が、それぞれ設けられる。
【００９４】
＜その３：ディジタルスチルカメラ＞
次に、上述した表示装置を、ファインダに用いたディジタルスチルカメラについて説明する。
図２８は、このディジタルスチルカメラの背面を示す斜視図である。通常の銀塩カメラは、被写体の光像によってフィルムを感光させるのに対し、ディジタルスチルカメラ１３００は、被写体の光像をＣＣＤ（Charge Couple d Device）などの撮像素子により光電変換して撮像信号を生成するものである。ここで、ディジタルスチルカメラ１３００におけるケース１３０２の背面には、上述した表示装置１００が設けられ、ＣＣＤによる撮像信号に基づいて、表示を行う構成となっている。このため、表示装置１００は、被写体を表示するファインダとして機能することになる。また、ケース１３０２の前面側（図２８においては裏面側）には、光学レンズやＣＣＤなどを含んだ受光ユニット１３０４が設けられている。
【００９５】
ここで、撮影者が表示装置１００に表示された被写体像を確認して、シャッタボタン１３０６を押下すると、その時点におけるＣＣＤの撮像信号が、回路基板１３０８のメモリに転送・格納される。
また、このディジタルスチルカメラ１３００にあっては、ケース１３０２の側面には、外部表示を行うために、ビデオ信号出力端子１３１２と、データ通信用の入出力端子１３１４とが設けられている。
【００９６】
なお、電子機器としては、図２６のパーソナルコンピュータや、図２７の携帯電話、図２８のディジタルスチルカメラの他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、上述した表示装置が適用可能なのは言うまでもない。
【００９７】
【発明の効果】
以上説明したように本発明によれば、表示示品位の低下を抑えつつ、低消費電力化を図ることが可能となる。
【図面の簡単な説明】
【図１】  本発明の第１実施形態に係る表示装置の電気的な構成を示すブロック図である。
【図２】  同表示装置の構成を示す斜視図である。
【図３】  同表示装置をＸ方向で破断した場合の構成を示す部分断面図である。
【図４】  同表示装置の要部構成を示す部分破断斜視図である。
【図５】  同表示装置におけるＹドライバの構成を示すブロック図である。
【図６】  同Ｙドライバの動作を説明するためのタイミングチャートである。
【図７】  同Ｙドライバの動作を説明するためのタイミングチャートである。
【図８】  同表示装置に階調データを供給するためのメモリ構成を示すブロック図である。
【図９】  同メモリ構成の動作を説明するためのタイミングチャートである。
【図１０】  同表示装置におけるＸドライバの構成を示すブロック図である。
【図１１】  同Ｘドライバの動作を説明するためのタイミングチャートである。
【図１２】  同Ｘドライバの動作を説明するためのタイミングチャートである。
【図１３】  同表示装置における表示例を示す図である。
【図１４】  同表示を行う場合に画素に印加される電圧波形等を示す図である。
【図１５】  走査線を連続して選択する場合における影響を示す図である。
【図１６】  走査線をブロック化して選択する場合における影響を示す図である。
【図１７】  走査線を連続して選択する本数と電圧切替回数（消費電力）との関係を示す図である。
【図１８】  同Ｘドライバにおける別構成を示すブロック図である。
【図１９】  本発明の第２実施形態に係る表示装置のＸドライバの要部構成を示すブロック図である。
【図２０】  （ａ）、（ｂ）は、それぞれ同Ｘドライバの動作を説明するためのタイミングチャートである。
【図２１】  （ａ）および（ｂ）は、それぞれ実施形態に係る表示装置における画素の等価回路を示す図である。
【図２２】  ４値駆動法（１Ｈセレクト、１Ｈ反転）における走査信号Ｙｉ、Ｙｉ＋１およびデータ信号Ｘｊの波形例を示す図である。
【図２３】  表示の不具合を説明するための図である。
【図２４】  ４値駆動法（１／２Ｈセレクト、１Ｈ反転）における走査信号Ｙｉ、Ｙｉ＋１およびデータ信号Ｘｊの波形例を示す図である。
【図２５】  （ａ）、（ｂ）は、それぞれ非選択期間（保持期間）におけるデータ信号Ｘｊの電圧切り替わりによる電力消費を説明するための図である。
【図２６】  実施形態に係る表示装置を適用した電子機器の一例たるパーソナルコンピュータの構成を示す斜視図である。
【図２７】  同表示装置を適用した電子機器の一例たる携帯電話の構成を示す斜視図である。
【図２８】  同表示装置を適用した電子機器の一例たるディジタルスチルカメラの背面構成を示す斜視図である。
【符号の説明】
１００……表示装置
１０５……液晶
１１６……画素
１１８……液晶
２００……素子基板
２１２……データ線
２２０……ＴＦＤ
２３４……画素電極
２５０……Ｘドライバ（データ線駆動回路）
３００……対向基板
３１２……走査線
３５０……Ｙドライバ（走査線駆動回路）
４５２……メモリ
１１００……パーソナルコンピュータ
１２００……携帯電話
１３００……ディジタルスチルカメラ
２５４０、２５４５……カウンタ
２５５０、２５５５……コンパレータ
２５８０……アキュムレータ
【図１】
0003820897.tif 000002
【図２】
0003820897.tif 000003
【図３】
0003820897.tif 000004
【図４】
0003820897.tif 000005
【図５】
0003820897.tif 000006
【図６】
0003820897.tif 000007
【図７】
0003820897.tif 000008
【図８】
0003820897.tif 000009
【図９】
0003820897.tif 000010
【図１０】
0003820897.tif 000011
【図１１】
0003820897.tif 000012
【図１２】
0003820897.tif 000013
【図１３】
0003820897.tif 000014
【図１４】
0003820897.tif 000015
【図１５】
0003820897.tif 000016
【図１６】
0003820897.tif 000017
【図１７】
0003820897.tif 000018
【図１８】
0003820897.tif 000019
【図１９】
0003820897.tif 000020
【図２０】
0003820897.tif 000021
【図２１】
0003820897.tif 000022
【図２２】
0003820897.tif 000023
【図２３】
0003820897.tif 000024
【図２４】
0003820897.tif 000025
【図２５】
0003820897.tif 000026
【図２６】
0003820897.tif 000027
【図２７】
0003820897.tif 000028
【図２８】
0003820897.tif 000029